(57)【要約】【課題】ユーザの嗜好にあった番組を自動で選択し、高い精度で嗜好に合わせることができる番組選択録画システムを提供する。【解決手段】録画装置２０は、購入履歴とプレイリストから抽出した第３検索用キーワードを受け取り、放送電波で流れているＥＰＧ情報１０４を収集する（ｓ１３１）。ＥＰＧ情報１０４と第３検索用キーワードから、ユーザの嗜好に合う番組を選択する（ｓ１３２）。録画装置２０は、選択された番組を録画予約する。【選択図】図１３
2008011250.tif 000002
【特許請求の範囲】
【請求項１】
楽曲等の音声情報を外部から購入した購入履歴、及び前記音声情報のメタ情報を含むプレイリストの少なくとも１つに基づいて抽出された検索用キーワードを送信する電子機器と、
前記検索用キーワードとＥＰＧ情報を受信して番組を録画予約する録画装置とを備えたことを特徴とする番組選択録画システム。
【請求項２】
前記電子機器は、前記購入履歴及び前記プレイリスト及び前期音声情報の再生履歴に基づいて検索用キーワードを抽出することをことを特徴とする請求項１に記載の番組選択録画システム。
【請求項３】
前記電子機器は、前記購入履歴、及び前記音声情報を記憶する記憶部と、
前記購入履歴、及び前記音声情報から前記検索用キーワードを抽出する音声情報ライブラリ部と、
前記検索用キーワードを送信する通信部とをもつことを特徴とする請求項１に記載の番組選択録画システム。
【請求項４】
前記電子機器は、コンピュータであることを特徴とする請求項１に記載の番組選択録画システム。
【請求項５】
前記電子機器は、携帯端末であることを特徴とする請求項１に記載の番組選択録画システム。
【請求項６】
前記録画装置は、前記電子機器の前記通信部から送信された前記検索用キーワードを受信する通信部と、
前記検索用キーワードを記憶する記憶部と、
前記ＥＰＧ情報を外部より受信して処理するＥＰＧ情報部と、
前記検索用キーワードと前記ＥＰＧ情報から番組を選択し前記番組を録画予約する番組紹介部とを持つことを特徴とする請求項１に記載の番組選択録画システム。
【請求項７】
前記録画装置は、前記番組を録画予約するかわりに前記番組を同一条件で視聴予約することを特徴とする請求項１に記載の番組選択録画システム。
【発明の詳細な説明】
【技術分野】
【０００１】
本発明は、ユーザの嗜好に合う番組の選択と、選択して得られた番組を自動で録画するシステムに関する。
【背景技術】
【０００２】
従来の技術として、例えば、楽曲情報再生履歴から抽出されたアーティスト名、アルバム名等の楽曲情報メタ情報を用いて、ユーザの嗜好に合う番組を自動で選択するという番組選択装置がある（例えば、特許文献１）。
【０００３】
この番組選択装置によると、楽曲情報メタ情報を保持した音声再生装置で楽曲情報を再生したとき、ユーザが再生した楽曲と、どの楽曲をどのくらいの頻度で再生したか等の情報をもとに、検索用キーワードを定め、この検索用キーワードとＥＰＧ情報（Ｅｌｅｃｔｒｏｎｉｃ  Ｐｒｏｇｒａｍ  Ｇｕｉｄｅ）に基づいて、ユーザの嗜好に合う番組を自動で選択することができる。
【特許文献１】特開２００５−３４１３６３号公報
【発明の開示】
【発明が解決しようとする課題】
【０００４】
しかし、従来の番組選択装置によると、選択された番組がユーザの嗜好に所定の精度で合うようにするには、ある期間にわたってのユーザの使い込みが必要となり、手間と時間がかかっていた。
【０００５】
したがって、本発明の目的は、ユーザの嗜好に合った番組を所定の精度で自動で選択することができる番組選択録画システムを提供することにある。
【課題を解決するための手段】
【０００６】
本発明の実施の形態によると、楽曲等の音声情報を外部から購入した購入履歴、及び前記音声情報のメタ情報を含むプレイリストの少なくとも１つに基づいて抽出された検索用キーワードを送信する電子機器と、前記検索用キーワードとＥＰＧ情報を受信して番組を録画予約する録画装置とを備えたことを特徴とする番組選択録画システムが提供される。
【０００７】
この構成によれば、ユーザの嗜好に合った番組を所定の精度で自動で選択することができる番組選択録画システムを提供することができる。
【発明の効果】
【０００８】
本発明の実施の形態によれば、ユーザの嗜好に合った番組を所定の精度で自動で選択する番組選択録画システムを提供することができる。
【発明を実施するための最良の形態】
【０００９】
以下に、本発明の番組選択録画システムの実施の形態を図面を参考にして詳細に説明する。
【００１０】
[第１の実施の形態]
（番組選択録画システムの構成）
図１は、本発明の第１の実施の形態に関する番組選択録画システムの使用状況を表わした全体図である。
【００１１】
番組選択録画システムは、ユーザの嗜好を反映する音声情報の購入履歴やプレイリスト等を管理するＰＣ（Ｐｅｒｓｏｎａｌ  Ｃｏｍｐｕｔｅｒ）１０と、放送を録画できる録画装置２０と、ネットワークに繋ぐことができるネットワーク対応テレビ受像機３０と、ＰＣ１０の様に購入履歴やプレイリストを作ることができる携帯端末４０と、コンピュータネットワークの集合体であるインターネット１０１と、インターネット１０１を通じて、音声情報の販売を行う音声情報配信サービス１０２と、インターネット１０１を通じて、音声情報に付随するアーティスト名、アルバム名等の音声情報メタ情報を蓄積し提供する音声情報データベース１０３と、衛星放送システムや、ＣＡＴＶ（ケーブルテレビジョン）システムなどの番組表を電子化し、放送電波に乗せて提供されるＥＰＧ情報１０４と、ＰＣ１０や録画装置２０等から構成されるホームネットワーク１０５とから構成される。
【００１２】
（ＰＣの構成）
図２は、本発明の第１の実施の形態に関するＰＣ１０の概略構成図である。
【００１３】
ＰＣ１０は、ＣＤやＤＶＤ等の記憶媒体を読み込むことのできるディスク読取部２０１と、音声情報や音声情報メタ情報等を記憶する第１記憶部２０２と、作業状況等を一時的に記憶する第１メモリ２０３と、各部からの信号を統括的に処理する第１制御部２０４と、第１制御部２０４内にあり、音声情報メタ情報から検索用キーワードを抽出する第１音声情報ライブラリ編集部２０４ａと、検索用キーワードから電子メールを作成する第１電子メール作成部２０４ｂと、外部と通信する第１通信部２０５と、キーボードからの入力信号を処理する第１操作部２０６と、画像や映像を表示する第１表示部２０７と、音声を出力する第１音声出力部２０８とを有する。
【００１４】
（録画装置の構成）
図３は、本発明の第１の実施の形態に関する録画装置２０の概略構成図である。
【００１５】
録画装置２０は、外部と通信する第２通信部３０１と、電波放送を受信する第１チューナ部３０２と、作業状態等を一時的に記憶する第２メモリ３０３と、録画開始や再生の指示をする第２操作部３０４と、録画した録画データを記録する第２記憶部３０５と、各部からの信号を統括的に処理する第２制御部３０６と、第２制御部３０６内にあり、取得したＥＰＧ情報１０４を処理する第１ＥＰＧ情報部３０６ａと、第２制御部３０６内にあり、ユーザの嗜好に合う番組を選択する第１番組紹介部３０６ｂと、画像や映像を表示する第２表示部３０７と、音声を出力する第２音声出力部３０８とを有する。
【００１６】
（ネットワーク対応テレビ受像機の構成）
図４は、本発明の第１の実施の形態に関するネットワーク対応テレビ受像機３０の概略構成図である。
【００１７】
ネットワーク対応テレビ受像機３０は、外部と通信する第３通信部４０１と、電波放送を受信する第２チューナ部４０２と、作業状態等を一時的に記憶する第３メモリ４０３と、視聴放送局の変更や音量調整等の指示をする第３操作部４０４と、検索用キーワード等を記憶する第３記憶部４０５と、各部からの信号を統括的に処理する第３制御部４０６と、第３制御部４０６内にあり、取得したＥＰＧ情報１０４を処理する第２ＥＰＧ情報部４０６ａと、第３制御部４０６内にあり、ユーザの嗜好にあう番組を選択する第２番組紹介部４０６ｂと、画像や映像を表示する第３表示部４０７と、音声を出力する第３音声出力部４０８とを有する。
【００１８】
（携帯端末の構成）
図５は、本発明の第１の実施の形態に関する携帯端末４０の概略構成図である。
【００１９】
携帯端末４０は、音声情報や音声情報メタ情報等を記憶する第４記憶部５０１と、作業状況等を一時的に記憶する第４メモリ５０２と、各部からの信号を統括的に処理する第４制御部５０３と、第４制御部５０３内にあり、音声情報メタ情報から検索用キーワードを抽出する第２音声情報ライブラリ編集部５０３ａと、検索キーワードを電子メールに書きだす第２電子メール作成部５０３ｂと、インターネット１０３とも通信可能な第４通信部５０４と、入力信号を処理する第４操作部５０５と、画像や映像を表示する第４表示部５０６と、音声を出力する第４音声出力部５０７とを有する。
【００２０】
（ＰＣのソフトウェアの構成）
図６は、発明の第１の実施の形態に関するＰＣ１０のソフトウェア構成を示す概略図である。
【００２１】
第１ソフトウェア６０は、第１アプリケーション群６０００と、第１オペレーティングシステム６０１と第１ドライバ群６００１とからなり、各ドライバに対応したハードウェアとしての第１デバイス群６００２が接続されている。第１ソフトウェア６０は、第１記憶部２０２に保存されており、第１制御部２０４により処理され動作する。
【００２２】
第１アプリケーション群６０００は、購入履歴を処理する第１購入履歴編集処理６００Ａと、プレイリストを処理する第１プレイリスト編集処理６００Ｂと、再生履歴を処理する第１再生履歴編集処理６００Ｃと、音声情報メタ情報から検索用キーワードを抽出する第１音声情報ライブラリ編集処理６００Ｄと、検索用キーワードから電子メールを作成する第１電子メール処理６００Ｅとを有する。
【００２３】
第１オペレーティングシステム６０１は、第１アプリケーション群６０００と第１ドライバ群６００１を統括して管理する。
【００２４】
第１ドライバ群６００１は、ディスク読取部２０１を管理するディスクドライバ６０２と、第１記憶部２０２と第１メモリ２０３とを管理する第１メディアドライバ６０３と、第１制御部２０４を管理する第１制御ドライバ６０４と、第１通信部２０５を管理する第１通信ドライバ６０５と、第１操作部２０６を管理する第１操作ドライバ６０６と、第１表示部２０７を管理する第１表示ドライバ６０７と、第１音声出力部２０８を管理する第１音声出力ドライバ６０８とを有する。
【００２５】
（録画装置のソフトウェアの構成）
図７は、本発明の第１の実施の形態に関する録画装置２０のソフトウェア構成を示す概略図である。
【００２６】
第２ソフトウェア７０は、第２アプリケーション群７０００と、第２オペレーティングシステム７０１と第２ドライバ群７００１とからなり、各ドライバに対応したハードウェアとしての第２デバイス群７００２が接続されている。第２ソフトウェア７０は、第２記憶部３０５に保存されており、第２制御部３０６により処理され動作する。
【００２７】
第２アプリケーション群７０００は、ＥＰＧ情報１０４を処理する第１ＥＰＧ情報処理７００Ａと、ユーザの嗜好に合う番組を選択する第１番組紹介処理７００Ｂと、選択して得られたユーザの嗜好に合う番組を録画予約する録画予約処理７００Ｃを有する。
【００２８】
第２オペレーティングシステム７０１は、第２アプリケーション群７０００と第２ドライバ群７００１を統括して管理する。
【００２９】
第２ドライバ群７００１は、第２通信部３０１を管理する第２通信ドライバ７０２と、第１チューナ部３０２を管理する第１チューナドライバ７０３と、第２メモリ３０３と第２記憶部３０５とを管理する第２メディアドライバ７０４と、第２操作部３０４を管理する第２操作ドライバ７０５と、第２制御部３０６を管理する第２制御ドライバ７０６と、第２表示部３０７を管理する第２表示ドライバ７０７と、第２音声出力部３０８を管理する第２音声出力ドライバ７０８とを有する。
【００３０】
（ネットワーク対応テレビ受像機のソフトウェアの構成）
図８は、本発明の第１の実施の形態に関するネットワーク対応テレビ受像機３０のソフトウェア構成を示す概略図である。
【００３１】
第３ソフトウェア８０は、第３アプリケーション群８０００と、第３オペレーティングシステム８０１と第３ドライバ群８００１とからなり、各ドライバに対応したハードウェアとしての第３デバイス群８００２が接続されている。第３ソフトウェア８０は、第３記憶部４０５に保存されており、第３制御部４０６により処理され動作する。
【００３２】
第３アプリケーション群８０００は、ＥＰＧ情報１０４を処理する第２ＥＰＧ情報処理８００Ａと、ユーザの嗜好に合う番組を選択する第２番組紹介処理８００Ｂとを有する。
【００３３】
第３オペレーティングシステム８０１は、第３アプリケーション群８０００と第３ドライバ群８００１を統括して管理する。
【００３４】
第３ドライバ群８００１は、第３通信部４０１を管理する第３通信ドライバ８０２と、第２チューナ部４０２を管理する第２チューナドライバ８０３と、第３メモリ４０３と第３記憶部４０５とを管理する第３メディアドライバ８０４と、第３操作部４０４を管理する第３操作ドライバ８０５と、第３制御部４０６を管理する第３制御ドライバ８０６と、第３表示部４０７を管理する第３表示ドライバ８０７と、第３音声出力部４０８を管理する第３音声出力ドライバ８０８とを有する。
【００３５】
（携帯端末のソフトウェアの構成）
図９は、本発明の第１の実施の形態に関する携帯端末４０のソフトウェア構成を示す概略図である。
【００３６】
第４ソフトウェア９０は、第４アプリケーション群９０００と、第４オペレーティングシステム９０１と第４ドライバ群９００１とからなり、各ドライバに対応したハードウェアとしての第４デバイス群９００２が接続されている。第４ソフトウェア９０は、第４記憶部５０１に保存されており、第４制御部５０３により処理され動作する。
【００３７】
第４アプリケーション群９０００は、購入履歴を処理する第２購入履歴編集処理９００Ａと、プレイリストを処理する第２プレイリスト編集処理９００Ｂと、再生履歴を処理する第２再生履歴編集処理９００Ｃと、音声情報メタ情報から検索用キーワードを抽出する第２音声情報ライブラリ編集処理９００Ｄと、検索用キーワードから電子メールを作成する第２電子メール処理９００Ｅとを有する。
【００３８】
第４オペレーティングシステム９０１は、第４アプリケーション群９０００と第４ドライバ群９００１を統括して管理する。
【００３９】
第４ドライバ群９００１は、第４記憶部５０１と第４メモリ５０２とを管理する第４メディアドライバ９０２と、第４制御部５０３を管理する第４制御ドライバ９０３と、第４通信部５０４を管理する第４通信ドライバ９０４と、第４操作部５０５を管理する第４操作ドライバ９０５と、第４表示部５０６を管理する第４表示ドライバ９０６と、第４音声出力部５０７を管理する第４音声出力ドライバ９０７とを有する。
【００４０】
（動作）
以下に、本発明の第１の実施の形態における番組選択録画システムの動作を図１から図１５を参照しつつ説明する。
【００４１】
図１０は、本発明の第１の実施の形態に関する音声情報購入履歴からの検索用キーワードの抽出に関するフローチャートである。
【００４２】
購入履歴の新しい順に、音声情報メタ情報を並べた、第１音声情報抽出優先リストを例にとりながら説明する。ここで、ＣＤ等の音声情報をディスク読取部２０１から初めて記憶部に記録することも購入とみなす。
【００４３】
新規に音声情報を音声情報配信サービス１０２またはＣＤ等を購入、または、ユーザが定めた音声情報抽出優先リストの更新時期（一定期間の経過）が来たとき（ｓ１０１；Ｙｅｓ）、最近購入した音声情報の音声情報メタ情報をもとに、第１音声情報抽出優先リストを更新する（ｓ１０２）。更新の結果から、第１音声情報メタ情報を抽出する（ｓ１０３）。第１音声情報メタ情報からさらに第１検索用キーワードを抽出（ｓ１０４）。抽出された第１検索キーワードを第１メモリ２０３に記憶して処理を終了する（ｓ１０５）。
【００４４】
なお、第1音声情報抽出優先リストの更新時期や、音声情報メタ情報の中のどの情報を選んで抽出するかは、ユーザが任意に指定できるものとする。
【００４５】
ここで、ステップｓ１０１において、新規に音声情報を購入することが無い、もしくは、ユーザが定めた更新の期間に満たないなら（ｓ１０１；Ｎｏ）、ステップｓ１０１に戻り処理を続ける。
【００４６】
図１１は、本発明の第１の実施の形態に関するプレイリストからの検索用キーワードの抽出に関するフローチャートである。
【００４７】
新しく作成したプレイリストの中の音声情報メタ情報を並べた、第２音声情報抽出優先リストを例にとりながら説明する。
【００４８】
ユーザが、新規にプレイリストを作成、または、ユーザが定めた第２音声情報抽出優先リストの更新時期が来たとき（ｓ１１１；Ｙｅｓ）、最近作成したプレイリストの音声情報メタ情報をもとに、第２音声情報抽出優先リストを更新する（ｓ１１２）。更新の結果から、第２音声情報メタ情報を抽出する（ｓ１１３）。抽出された第２音声情報メタ情報からさらに、第２検索用キーワードを抽出（ｓ１１４）。抽出された第２検索キーワードとステップ１０５で記憶した第１検索キーワードを比較して新たに第３検索キーワードを抽出（ｓ１１５）。第３検索キーワードを録画装置２０に送信して処理を終了する（ｓ１１６）。
【００４９】
ここで、ステップｓ１１１において、新規にプレイリストを作らない、もしくは、ユーザが定めた更新の時期に満たないなら（ｓ１１１；Ｎｏ）、ステップｓ１１１に戻り処理を続ける。
【００５０】
図１２は、本発明の第１の実施の形態に関するユーザの嗜好に合った番組の選択に関するフローチャートである。
【００５１】
図１０及び図１１での処理を終えて、第３検索用キーワードを受け取った録画装置２０は（ｓ１２１）、放送電波で流れているＥＰＧ情報１０４を収集する（ｓ１２２）。ＥＰＧ情報１０４と第３検索用キーワードから、ユーザの嗜好に合う番組を選択する（ｓ１２３）。選択した番組のチャンネルや放送時間等を表示部３０７に表示して処理を終了する（ｓ１２４）。
【００５２】
なお、ネットワークテレビ受像機３０においては、図１２のフローチャートと同じ動作で、第３表示部４０７にユーザの嗜好に合った番組を選択し表示する。
【００５３】
図１３は、本発明の第１の実施の形態に関するユーザの嗜好に合った番組の録画予約に関するフローチャートである。
【００５４】
図１０及び図１１での処理を終えて、第３検索用キーワードを受け取った録画装置２０は（ｓ１３１）、放送電波で流れているＥＰＧ情報１０４を収集する（ｓ１３２）。ＥＰＧ情報１０４と第３検索用キーワードから、ユーザの嗜好に合う番組を選択する（ｓ１３３）。選択された番組を録画予約して処理を終了する（ｓ１３４）。
【００５５】
図１４は、本発明の第１の実施の形態に関する携帯端末４０に関するフローチャートである。なお、ＰＣ１０においても同様の構成を持つので、同じ動作が可能である。
【００５６】
携帯端末４０は、図１０及び図１１での処理を終えて、第３検索用キーワードを抽出する（ｓ１４１）。電子メール作成部５０３ｂが電子メールを作成し、録画装置２０のアドレス宛に電子メールを送信する（ｓ１４２）。録画装置２０が、メール箱から、検索用キーワードが書かれているメールのみを受信する（ｓ１４３）。受信した電子メールから第４検索用キーワードを抽出する（ｓ１４４）。以下抽出された第4検索用キーワードを用いて、ユーザの嗜好に合う番組の自動選択をさせるなら図１２のフローチャートを実行し、また番組の自動予約録画をさせるなら図１３のフローチャートを実行させる。
【００５７】
図１５は、本発明の第１の実施の形態に関するＰＣ１０と録画装置２０間の送受信を示すタイミングチャートである。
【００５８】
録画装置２０は、ＵＰｎＰ（Ｕｎｉｖｅｒｓａｌ  Ｐｌｕｇ  ａｎｄ  Ｐｌａｙ）などを使って、機器が接続されているか確認する（ｓ１５１）。ＰＣ１０が受信し、機器情報、サービス情報を返信し、録画装置２０が受信する（ｓ１５２）。録画装置２０は、検索キーワードを要求できる相手か否か判断し、検索キーワードを要求する（ｓ１５３）。ＰＣ１０は、要求を受信し、検索キーワードを送信する（ｓ１５４）。録画装置２０は、検索キーワードを受信して（ｓ１５５）、受信した検索キーワードをもとに録画予約処理等を行う。
【００５９】
（第１の実施の形態の効果）
上記した第１の実施の形態によると、ユーザの嗜好に合った番組を、自動で選択し高い精度で嗜好に合わせることができる。
【００６０】
[第２の実施の形態]
図１６は、本発明の第２の実施の形態における検索用キーワードのフィルタに関するフローチャートである。なお、以下の説明において、第１の実施の形態と同一の構成および機能を有する部分については共通の符号を付している。
（動作）
【００６１】
音声情報の再生履歴の新しい順に、音声情報メタ情報を並べた、第３音声情報抽出優先リストを例にとりながら説明する。
【００６２】
購入履歴やプレイリストの数が多いとき、ユーザは検索用キーワード抽出に再生履歴を追加することができる。最近再生された、または再生回数の多い音声情報の音声情報メタ情報をもとに、第３音声情報抽出優先リストを更新する（ｓ１６１）。更新の結果から、第４音声情報メタ情報を抽出する（ｓ１６２）。抽出された第４音声情報メタ情報からさらに、第４検索用キーワードを抽出する（ｓ１６３）。抽出された第４検索キーワードとステップ１１６で抽出した第３検索キーワードを比較して新たに第５検索キーワードを抽出する（ｓ１６４）。第５検索キーワードを録画装置２０に送信して処理を終了する（ｓ１６５）。
【００６３】
（第２の実施の効果）
上記した実施の形態によると、購入履歴やプレイリストが多くなり、ユーザの嗜好に合う番組とずれが生じたときなど、新たに再生履歴を検索用キーワード抽出の手段として加えることによって、より高い精度でユーザの嗜好に合う番組を選択することができる。
【００６４】
以上、本発明の番組選択録画システムを上記の実施の形態に基づいて説明したが、本発明は上記の実施の形態に限定されるものではなく、その要旨を逸脱しない範囲で種々の態様において実施することが可能である。
【図面の簡単な説明】
【００６５】
【図１】本発明の第１の実施の形態に関する番組選択録画システムの使用状況を表わした全体図である。
【図２】本発明の第１の実施の形態に関するＰＣ１０の概略構成図である。
【図３】本発明の第１の実施の形態に関する録画装置２０の概略構成図である。
【図４】本発明の第１の実施の形態に関するネットワーク対応テレビ受像機３０の概略構成図である。
【図５】本発明の第１の実施の形態に関する携帯端末４０の概略構成図である。
【図６】本発明の第１の実施の形態に関するＰＣ１０のソフトウェア構成を示す概略図である。
【図７】本発明の第１の実施の形態に関する録画装置２０のソフトウェア構成を示す概略図である。
【図８】本発明の第１の実施の形態に関するネットワーク対応テレビ受像機３０のソフトウェア構成を示す概略図である。
【図９】本発明の第１の実施の形態に関する携帯端末４０のソフトウェア構成を示す概略図である。
【図１０】本発明の第１の実施の形態に関する音声情報購入履歴からの検索用キーワードの抽出に関するフローチャートである。
【図１１】本発明の第１の実施の形態に関するプレイリストからの検索用キーワードの抽出に関するフローチャートである。
【図１２】本発明の第１の実施の形態に関するユーザの嗜好にあった番組の選択に関するフローチャートである。
【図１３】本発明の第１の実施の形態に関するユーザの嗜好にあった番組の録画予約に関するフローチャートである。
【図１４】本発明の第１の実施の形態に関する携帯端末４０に関するフローチャートである。
【図１５】本発明の第１の実施の形態に関するＰＣ１０と録画装置２０間の送受信を示すタイミングチャートである。
【図１６】本発明の第２の実施の形態における検索用キーワードのフィルタに関するフローチャートである。
【符号の説明】
【００６６】
１０・・・ＰＣ、２０・・・録画装置、３０・・・ネットワーク対応テレビ受像機、４０・・・携帯端末、６０・・・第１ソフトウェア、７０・・・第２ソフトウェア、８０・・・第３ソフトウェア、９０・・・第４ソフトウェア、１０１・・・インターネット、１０２・・・音声情報配信サービス、１０３・・・音声情報データベース、１０４・・・ＥＰＧ情報、１０５・・・ホームネットワーク、２０１・・・ディスク読取部、２０２・・・第１記憶部、２０３・・・第１メモリ、２０４・・・第１制御部、２０４ａ・・・第１音声情報ライブラリ編集部、２０４ｂ・・・第１電子メール作成部、２０５・・・第１通信部、２０６・・・第１操作部、２０７・・・第１表示部、２０８・・・第１音声出力部、３０１・・・第２通信部、３０２・・・第１チューナ部、３０３・・・第２メモリ、３０４・・・第２操作部、３０５・・・第２記憶部、３０６・・・第２制御部、３０６ａ・・・第１ＥＰＧ情報部、３０６ｂ・・・第１番組紹介部、３０７・・・第２表示部、３０８・・・第２音声出力部、４０１・・・第３通信部、４０２・・・第２チューナ部、４０３・・・第３メモリ、４０４・・・第３操作部、４０５・・・第３記憶部、４０６・・・第３制御部、４０６ａ・・・第２ＥＰＧ情報部、４０６ｂ・・・第２番組紹介部、４０７・・・第３表示部、４０８・・・第３音声出力部、５０１・・・第４記憶部、５０２・・・第４メモリ、５０３・・・第４制御部、５０３ａ・・・第２音声情報ライブラリ編集部、５０３ｂ・・・第２電子メール作成部、５０４・・・第４通信部、５０５・・・第４操作部、５０６・・・第４表示部、５０７・・・第４音声出力部、６００Ａ・・・第１購入履歴編集処理、６００Ｂ・・・第１プレイリスト編集処理、６００Ｃ・・・第１再生履歴編集処理、６００Ｄ・・・第１音声情報ライブラリ編集処理、６００Ｅ・・・第１電子メール処理、６０１・・・第１オペレーティングシステム、６０２・・・ディスクドライバ、６０３・・・第１メディアドライバ、６０４・・・第１制御ドライバ、６０５・・・第１通信ドライバ、６０６・・・第１操作ドライバ、６０７・・・第１表示ドライバ、６０８・・・第１音声出力ドライバ、７００Ａ・・・第１ＥＰＧ情報処理、７００Ｂ・・・第１番組紹介処理、７００Ｃ・・・第１録画予約処理、７０１・・・第２オペレーティングシステム、７０２・・・第２通信ドライバ、７０３・・・第１チューナドライバ、７０４・・・第２メディアドライバ、７０５・・・第２操作ドライバ、７０６・・・第２制御ドライバ、７０７・・・第２表示ドライバ、７０８・・・第２音声出力ドライバ、８００Ａ・・・第２ＥＰＧ情報処理、８００Ｂ・・・第２番組紹介処理、８０１・・・第３オペレーティングシステム、８０２・・・第３通信ドライバ、８０３・・・第２チューナドライバ、８０４・・・第３メディアドライバ、８０５・・・第３操作ドライバ、８０６・・・第３制御ドライバ、８０７・・・第３表示ドライバ、８０８・・・第３音声出力ドライバ、９００Ａ・・・第２購入履歴編集処理、９００Ｂ・・・第２プレイリスト編集処理、９００Ｃ・・・第２再生履歴編集処理、９００Ｄ・・・第２音声情報ライブラリ編集処理、９００Ｅ・・・第２電子メール処理、９０１・・・第４オペレーティングシステム、９０２・・・第４メディアドライバ、９０３・・・第４制御ドライバ、９０４・・・第４通信ドライバ、９０５・・・第４操作ドライバ、９０６・・・第４表示ドライバ、９０７・・・第４音声出力ドライバ、６０００・・・第１アプリケーション群、６００１・・・第１ドライバ群、６００２・・・第１デバイス群、７０００・・・第２アプリケーション群、７００１・・・第２ドライバ群、７００２・・・第２デバイス群、８０００・・・第３アプリケーション群、８００１・・・第３ドライバ群、８００２・・・第３デバイス群、９０００・・・第４アプリケーション群、９００１・・・第４ドライバ群、９００２・・・第４デバイス群
【図１】
2008011250.tif 000003
【図２】
2008011250.tif 000004
【図３】
2008011250.tif 000005
【図４】
2008011250.tif 000006
【図５】
2008011250.tif 000007
【図６】
2008011250.tif 000008
【図７】
2008011250.tif 000009
【図８】
2008011250.tif 000010
【図９】
2008011250.tif 000011
【図１０】
2008011250.tif 000012
【図１１】
2008011250.tif 000013
【図１２】
2008011250.tif 000014
【図１３】
2008011250.tif 000015
【図１４】
2008011250.tif 000016
【図１５】
2008011250.tif 000017
【図１６】
2008011250.tif 000018